(57)【要約】【課題】ボールと直接接触するフェイスの外周部の損傷を抑制できるとともに、フェイスの外周部の加工性を良好にすることができるグラウンドゴルフまたはパークゴルフに用いるゴルフクラブを提供する。【解決手段】ゴルフクラブ１００は、ヘッド１０１を備えている。ヘッド１０１は、フェイス１０２、外周カバー体１１０およびヘッド本体１２０をそれぞれ備えている。フェイス１０２は、ボールを打った際に弾性変形する弾力性を有するエラストマ材を板状に形成して構成されている。外周カバー体１１０は、フェイス１０２の外周部１０２ｃを覆う環状のカバー部１１１と、このカバー部１１１の内側に形成されたバックベース部１１３とで構成されている。この外周カバー体１１０は、フェイス１０２よりも硬質な樹脂材で構成されている。これらのフェイス１０２および外周がバー体１１０は、ヘッド本体１２０に取り付けられている。【選択図】  図１
2018191701.tif 000002
【特許請求の範囲】
【請求項１】
ボールを打つヘッドに棒状に延びるシャフトが設けられたグラウンドゴルフまたはパークゴルフに用いられるゴルフクラブであって、
前記ヘッドは、
前記シャフトが取り付けられるヘッド本体と、
前記ヘッド本体に直接的または間接的に設けられて前記ボールの打面を構成するフェイスと、
前記フェイスより硬質な材料で構成されて前記フェイスの外周部の少なくとも一部を覆う外周カバー体とを備えたゴルフクラブ。
【請求項２】
請求項１に記載したゴルフクラブにおいて、
前記フェイスは、
前記ボールを打った際に弾性変形するエラストマ材で構成されており、
前記外周カバー体は、
前記フェイスにおけるスイートスポットを介した互いに対向する位置にそれぞれ形成されていることを特徴とするゴルフクラブ。
【請求項３】
請求項２に記載したゴルフクラブにおいて、
前記外周カバー体は、
前記フェイスの外周部のうちの互いに対向する外周部間の幅が最も狭い部分に設けられていることを特徴とするゴルフクラブ。
【請求項４】
請求項２または請求項３に記載したゴルフクラブにおいて、
前記外周カバー体は、
前記フェイスの外周部のうちの互いに対向する外周部間の幅が最も狭い部分の肉厚がその他の部分の肉厚よりも厚く形成されていることを特徴とするゴルフクラブ。
【請求項５】
請求項１ないし請求項４のうちのいずれか１つに記載したゴルフクラブにおいて、
前記外周カバー体は、
前記フェイスの全ての外周部を環状に覆っていることを特徴とするゴルフクラブ。
【請求項６】
請求項１ないし請求項５のうちのいずれか１つに記載したゴルフクラブにおいて、
前記外周カバー体は、
前記フェイスにおける前記ヘッド本体側の面である裏面を覆うバックベース部を備えていることを特徴とするゴルフクラブ。
【請求項７】
請求項６に記載したゴルフクラブにおいて、
前記フェイスは、
前記バックベース部を貫通して前記ヘッド本体に嵌合する貫通嵌合部を備えていることを特徴とするゴルフクラブ。
【発明の詳細な説明】
【技術分野】
【０００１】
本発明は、グラウンドゴルフまたはパークゴルフに用いられるゴルフクラブに関する。
【背景技術】
【０００２】
従来から、グラウンドゴルフまたはパークゴルフに用いるゴルフクラブが各種提案されている。例えば、下記特許文献１には、ボールを打つヘッドを構成してボールに直接接触するフェース部材が内層および外層の２層で構成されたゴルフクラブが開示されている。この場合、フェース部材は、ボールが直接接触する外層を弾性変形し易い粘弾性体で構成するとともに、この外層の裏側にこの外層よりも硬質な内層を設けることでヘッド本体が損傷することを防止している。
【先行技術文献】
【特許文献】
【０００３】
【特許文献１】特開２００６−２３０６８５号公報
【０００４】
しかしながら、このような上記特許文献１に記載されたゴルフクラブにおいては、ボールと直接接触する外層が粘弾性体で構成されているため、外層の外周部がボール、地面、クラブケースまたはその他の物体との接触によって損傷を受け易いという問題がある。また、このゴルフクラブにおいては、外層が粘弾性体で構成されているため、フェース部材を支持するヘッド本体におけるフェース部材との接合部分の研削加工が行ない難く加工性が低いという問題もあった。
【０００５】
本発明は上記問題に対処するためなされたもので、その目的は、ボールと直接接触するフェイスの外周部の損傷を抑制できるとともに、フェイスの外周部の加工性を良好にすることができるグラウンドゴルフまたはパークゴルフに用いるゴルフクラブを提供することにある。
【発明の概要】
【０００６】
上記目的を達成するため、本発明の特徴は、ボールを打つヘッドに棒状に延びるシャフトが設けられたグラウンドゴルフまたはパークゴルフに用いられるゴルフクラブであって、ヘッドは、シャフトが取り付けられるヘッド本体と、ヘッド本体に直接的または間接的に設けられてボールの打面を構成するフェイスと、フェイスより硬質な材料で構成されてフェイスの外周部の少なくとも一部を覆う外周カバー体とを備えたことにある。
【０００７】
このように構成した本発明の特徴によれば、ゴルフクラブは、ボールと直接接触するフェイスの外周部の少なくとも一部がこのフェイスよりも硬質な外周カバー体で覆われているため、外周部の損傷を抑制しつつフェイスの外周部の加工性を良好にすることができる。
【０００８】
また、本発明の他の特徴は、前記ゴルフクラブにおいて、フェイスは、ボールを打った際に弾性変形するエラストマ材で構成されており、外周カバー体は、フェイスにおけるスイートスポットを介した互いに対向する位置にそれぞれ形成されていることにある。この場合、フェイスの外周部において互いに対向した各外周カバー体は、互いに繋がって一体的に形成されていてもよいし、各外周カバー体がヘッド本体にそれぞれ固定されていてもよい。
【０００９】
このように構成した本発明の他の特徴によれば、ゴルフクラブは、フェイスがボールを打った際に弾性変形する弾力性を有したエラストマ材で構成されているとともに、外周カバー体がフェイスにおけるスイートスポットを介した互いに対向する位置にそれぞれ形成されているため、フェイスがボールを打った際におけるフェイスの平面方向外側への弾性変形を抑えることができボールに与えられる打撃エネルギの低下を抑制することができる。
【００１０】
また、本発明の他の特徴は、ゴルフクラブにおいて、外周カバー体は、フェイスの外周部のうちの互いに対向する外周部間の幅が最も狭い部分に設けられていることにある。この場合、フェイスの外周部のうちの互いに対向する外周部間の幅が最も狭い部分は、例えば、フェイスの上側の外周部と下側の外周部との間の幅がある。
【００１１】
このように構成した本発明の他の特徴によれば、ゴルフクラブは、外周カバー体がフェイスの外周部のうちの互いに対向する外周部間の幅が最も狭い部分に設けられているため、フェイスがボールを打った際におけるフェイスの平面方向外側への弾性変形を効果的に抑えることができボールに与えられる打撃エネルギの低下を効果的に抑制することができる。
【００１２】
また、本発明の他の特徴は、前記ゴルフクラブにおいて、外周カバー体は、フェイスの外周部のうちの互いに対向する外周部間の幅が最も狭い部分の肉厚がその他の部分の肉厚よりも厚く形成されていることにある。この場合、フェイスの外周部のうちの互いに対向する外周部間の幅が最も狭い部分は、例えば、フェイスの上側の外周部と下側の外周部との間の幅がある。
【００１３】
このように構成した本発明の他の特徴によれば、ゴルフクラブは、外周カバー体がフェイスの外周部のうちの互いに対向する外周部間の幅が最も狭い部分の肉厚がその他の部分の肉厚よりも厚く形成されているため、フェイスがボールを打った際におけるフェイスの平面方向外側への弾性変形を効果的に抑えることができボールに与えられる打撃エネルギの低下を効果的に抑制することができる。
【００１４】
また、本発明の他の特徴は、前記ゴルフクラブにおいて、外周カバー体は、フェイスの全ての外周部を環状に覆っていることにある。
【００１５】
このように構成した本発明の他の特徴によれば、ゴルフクラブは、外周カバー体がフェイスの全ての外周部を環状に覆っているため、外周部の全周に亘って損傷を抑制しつつフェイスの外周部の加工性を良好にすることができる。また、このゴルフクラブによれば、フェイスがボールを打った際におけるフェイスの平面方向外側への弾性変形を効果的に抑えることができボールに与えられる打撃エネルギの低下を効果的に抑制することができる。
【００１６】
また、本発明の他の特徴は、ゴルフクラブにおいて、外周カバー体は、フェイスにおけるヘッド本体側の面である裏面を覆うバックベース部を備えていることにある。
【００１７】
このように構成した本発明の他の特徴によれば、ゴルフクラブは、外周カバー体がフェイスにおけるヘッド本体側の面である裏面を覆うバックベース部を備えているため、外周カバー体の一体性および剛性を高めフェイス１０２の外周部を長期期間に亘って保護できるとともに、フェイスがボールを打った際におけるフェイスの厚み方向への弾性変形を抑えることができボールに与えられる打撃エネルギの低下を抑制することができる。
【００１８】
また、本発明の他の特徴は、前記ゴルフクラブにおいて、フェイスは、バックベース部を貫通してヘッド本体に嵌合する貫通嵌合部を備えていることにある。
【００１９】
このように構成した本発明の他の特徴によれば、ゴルフクラブは、フェイスがバックベース部を貫通してヘッド本体に嵌合する貫通嵌合部を備えているため、フェイス、外周カバー体およびヘッド本体の一体性を高めて耐久性を向上させることができるとともに、ボールのコントロール性および飛距離を向上させることができる。
【図面の簡単な説明】
【００２０】
【図１】本発明の一実施形態に係るゴルフクラブの全体構成を概略的に示した全体斜視図である。
【図２】図１に示すゴルフクラブにおけるヘッドの全体構成を概略的に示した要部拡大斜視図である。
【図３】図２に示したヘッドの内部構成を概略的に示した要部断面図である。
【図４】図２に示したヘッドにおけるフェイスの全体構成を概略的に示した斜視図である。
【図５】図２に示したヘッドにおける外周カバー体の全体構成を概略的に示した斜視図である。
【発明を実施するための形態】
【００２１】
以下、本発明に係るゴルフクラブの一実施形態について図面を参照しながら説明する。図１は、本発明に係るゴルフクラブ１００の全体構成の概略を示した斜視図である。また、図２は、図１に示すゴルフクラブ１００の要部であるヘッド１０１を別の方向から見た部分拡大斜視図である。また、図３は、図２に示すヘッド１０１の内部構造の概略を示す断面図である。なお、本明細書において参照する各図は、本発明の理解を容易にするために一部の構成要素を誇張して表わすなど模式的に表している。このため、各構成要素間の寸法や比率などは異なっていることがある。このゴルフクラブ１００は、グラウンドゴルフまたはパークゴルフにおいてボールを打つための棒状の用具である。
【００２２】
（ゴルフクラブ１００の構成）
ゴルフクラブ１００は、主として、ヘッド１０１およびシャフト１３０をそれぞれ備えて構成されている。ヘッド１０１は、ゴルフクラブ１００においてグラウンドゴルフまたはパークゴルフで用いる樹脂製のボール（図示せず）を打つための部分であり、主として、フェイス１０２、外周カバー体１１０およびヘッド本体１２０をそれぞれ備えて構成されている。
【００２３】
フェイス１０２は、図４に示すように、ボールと直接接触して打つ部品であり、エラストマ材を板状に形成して構成されている。この場合、フェイス１０２を構成するエラストマ材は、ボールを打った際に弾性変形する弾力性を有するゴム材または樹脂材であり、より具体的には、熱硬化性エラストマ材（例えば、加硫ゴム、ウレタンゴム、シリコーンゴム、フッ素ゴムなど）、熱可塑性エラストマ材（例えば、スチレン系、オレフィン系、塩ビ系、ウレタン系またはアミド系の各樹脂など）がある。本実施形態においては、フェイス１０２は、熱可塑性ポリウレタン樹脂で構成されている。また、フェイス１０２の硬度は、デュロメータ硬度（温度２３℃±２℃、湿度５０％±５％）でＨＤＡ７０〜１００が好ましい。
【００２４】
このフェイス１０２は、ボールを打つ際の上下方向の幅である高さがボールの直径（６ｃｍ）以下で、かつ高さ方向に直交する横幅方向がボールの直径（６ｃｍ）以上の長さ（好ましくは、ボールの直径の２倍以上）の横長の板状に形成されている。この場合、フェイス１０２は、正面視において外周部１０２ｃにおける上下方向中央部および横幅方向中央部がそれぞれ凹状に窪んで形成されており、外周カバー体１１０の一部が入り込んでいる。
【００２５】
また、フェイス１０２は、ボールを打つ表面１０２ａが平滑な平面状に形成されている。一方、フェイス１０２の表面１０２ａの裏側となる裏面１０２ｂは、平滑な平面状に形成されるとともに、左右方向両端部側に２つの本体嵌合部１０３がそれぞれ形成されている。
【００２６】
本体嵌合部１０３は、フェイス１０２をヘッド本体１２０に取り付けるための部分であり、フェイス１０２の裏面１０２ｂから柱状に突出して形成されている。この本体嵌合部１０３は、フェイス１０２の裏面１０２ｂにおける上下方向中央部でかつ横幅方向両端部側にそれぞれ形成されている。なお、本体嵌合部１０３は、１つまたは３つ以上設けてもよいことは当然である。このフェイス１０２は、外周カバー体１１０内に表面１０２ａが露出した状態で覆われている。
【００２７】
外周カバー体１１０は、図５に示すように、フェイス１０２の外周部１０２ｃを覆う部品であり、フェイス１０２よりも硬質な材料を板状に形成して構成されている。この場合、外周カバー体１１０を構成する材料としては、フェイス１０２よりも硬質な樹脂材、金属材または木材がある。この場合、樹脂材には、硬質な樹脂材のほか、フェイス１０２よりも硬質なエラストマ材を含むものである。より具体的には、樹脂材の硬度は、デュロメータ硬度（温度２３℃±２℃、湿度５０％±５％）でＨＤＤ６０〜１００が好ましい。本実施形態においては、フェイス１０２は、熱可塑性ポリウレタン樹脂で構成されている。
【００２８】
この外周カバー体１１０は、主として、カバー部１１１とバックベース部１１３とで構成されている。カバー部１１１は、フェイス１０２の外周部１０２ｃを覆う部分であり、フェイス１０２の外周部１０２ｃを囲む環状に形成されている。この場合、カバー部１１１は、内周部がフェイス１０２の外周部１０２ｃに対応する形状に形成されるとともに、外周部が内周部の形成方向に沿って直線状または曲線状に延びて形成されている。
【００２９】
また、カバー部１１１は、内周面における上辺、下辺および左右の側辺の各一部がそれぞれフェイス１０２のスイートスポットＳに向かって張り出した張出部１１２ａ〜１１２ｄが形成されている。これにより、カバー部１１１は、張出部１１２ａ〜１１２ｄがそれぞれ形成された部分がその他の部分、具体的には、各張出部１１２ａ〜１１２ｄ間の部分（例えば、張出部１１２ａと張出部１１２ｃとの間の部分）よりも肉厚が厚く形成されている。本実施形態においては、張出部１１２ａ〜１１２ｄは、フェイス１０２のスイートスポットＳに向かって台形状に張り出している。
【００３０】
また、フェイス１０２のスイートスポットＳとは、ヘッド１０１の重心からフェイス１０２の表面１０２ａに向かって引いた同表面１０２ａに対する垂線が表面１０２ａと交わる部分およびその周辺であり、最も効果的、すなわち、ボールを打つ際の反力に違和感を覚えることなく最長の飛距離を出すことができる部分である。このスイートスポットＳは、通常は、フェイス１０２の上下方向および横幅方向の各中央部に位置する。なお、図１および図２においては、スイートスポットＳを破線で示している。
【００３１】
バックベース部１１３は、環状のカバー部１１１における内側部分に板状に形成されてカバー部１１１を内側方向にも一体化して補強しつつフェイス１０２が取り付けられる部分であり、カバー部１１１と一体的に形成されている。これにより、外周カバー体１１０は、カバー部１１１とバックベース部１１３とで囲まれた凹状の領域がフェイス１０２を保持する領域として形成される。
【００３２】
そして、バックベース部１１３には、前記フェイス１０２における本体嵌合部１０３に対応する位置に貫通孔１１４がそれぞれ形成されている。また、バックベース部１１３の厚さは、フェイス１０２の厚さと同じ厚さに形成されている。なお、バックベース部１１３の厚さは、フェイス１０２の厚さ以下または同厚さ以上であってもよいことは当然である。
【００３３】
ヘッド本体１２０は、フェイス１０２および外周カバー体１１０をそれぞれ支持する部品であり、剛体（例えば、木材）をブロック状に形成して構成されている。このヘッド本体１２０における外表面の一部には、鉛直方向に平滑な平面状に延びた状態で取付前面１２１が形成されており、この取付前面１２１にフェイス１０２および外周カバー体１１０がそれぞれ取り付けられている。この場合、取付前面１２１には、フェイス１０２における２つの本体嵌合部１０３に対応する位置に各本体嵌合部１０３が嵌合する嵌合孔１２２がそれぞれ形成されている。
【００３４】
これにより、ヘッド本体１２０は、フェイス１０２における本体嵌合部１０３が嵌合孔１２２に嵌合することでフェイス１０２を支持するとともに、外周カバー体１１０が取付前面１２１に接着剤によって貼り付けられることで外周カバー体１１０を支持する。また、取付前面１２１の外周部は、外周カバー体１１０の外周部に対応する形状に形成されており、取付前面１２１の外周部と外周カバー体１１０の外周部とは面一に形成されている。このヘッド本体１２０には、下面にソール１２３が設けられているとともに上面にシャフト１３０が設けられている。
【００３５】
ソール１２３は、ヘッド本体１２０の下面を保護するための部品であり、アルミニウム材をヘッド本体１２０の底面に沿って湾曲する形状に形成して構成されている。この場合、ソール１２３は、ヘッド本体１２０の底面とともに外周カバー体１１０の底面も覆う大きさに形成されている。このソール１２３は、図示しないビスによってヘッド本体１２０の底面に取り付けられている。なお、ソール１２３は、ヘッド本体１２０の底面のみを覆い外周カバー体１１０の底面は覆わない形状に形成することもできる。
【００３６】
シャフト１３０は、ヘッド１０１をスイング可能に支持する部品であり、木材またはカーボン材を棒状に形成して構成されている。このシャフト１３０は、一方の端部（図示下端部）にヘッド本体１２０が取り付けられているとともに、他方の端部（図示上側端部）にグリップ１３１が取り付けられている。グリップ１３１は、ゴルフをプレーする使用者が手で握る部分であり、ゴム材を筒状に形成して構成されている。このグリップ１３１は、シャフト１３０における前記他方の端部に挿し込まれている。
【００３７】
（ゴルフクラブ１００の製造）
ここで、ゴルフクラブ１００の製造工程について簡単に説明しておく。まず、作業者は、第１工程として、外周カバー体１１０を製造する。具体的には、作業者は、射出成形機（図示せず）を用いて外周カバー体１１０を射出成形する。
【００３８】
次に、作業者は、第２工程として、フェイス１０２を製造する。具体的には、作業者は、フェイス１０２を成形する金型（図示せず）内に外周カバー体１１０を配置した状態で射出成形機を用いてフェイス１０２を射出成形する。すなわち、フェイス１０２は、金型内に外周カバー体１１０を配置したインサート成形加工により、外周カバー体１１０に対して表面１０２ａ、裏面１０２ｂおよび本体嵌合部１０３が一体的に成形される。なお、フェイス１０２は、外周カバー体１１０をインサート成形することなく、フェイス１０２単体で成形した後に外周カバー体１１０に嵌め込んで製作することもできる。
【００３９】
次に、作業者は、第３工程として、ヘッド本体１２０を用意する。具体的には、作業者は、木材に対して切削加工を行うことによって外形、取付前面１２１および嵌合孔１２２など必要な形状を成形する。
【００４０】
次に、作業者は、第４工程として、ヘッド本体１２０にフェイス１０２および外周カバー体１１０を取り付ける。具体的には、作業者は、フェイス１０２が一体的に取り付けられた外周カバー体１１０の裏面に接着剤を塗布してヘッド本体１２０の取付前面１２１に貼り付ける。この場合、フェイス１０２における２つの本体嵌合部１０３は、ヘッド本体１２０の取付前面１２１の嵌合孔１２２に嵌合する。
【００４１】
次に、作業者は、第５工程として、ソール１２３を用意してヘッド本体１２０に取り付ける。具体的には、作業者は、アルミダイカストなどの加工法を用いて別途製作したソール１２３をヘッド本体１２０の下面にビス（図示せず）を用いて取り付ける。
【００４２】
次に、作業者は、第６工程として、外周カバー体１１０の外周面をヘッド本体１２０の側面とともに研削加工を行う。これにより、ヘッド本体１２０の取付前面１２１の外周面と外周カバー体１１０の外周面との間の段差が解消されて両者が面一となる。この場合、外周カバー体１１０がフェイス１０２よりも硬質な材料で構成されているため、研削加工を精度よく行うことができる。なお、この第６工程における研削加工は、前記段差が生じない場合や段差が許容できる場合には行う必要がない。
【００４３】
次に、作業者は、第７工程として、ヘッド本体１２０の外表面に塗装を行う。具体的には、作業者は、ヘッド本体１２０におけるフェイス１０２および外周カバー体１１０をマスキングした状態でヘッド本体１２０の外表面に吹き付け塗装などにより着色を行う。
【００４４】
次に、作業者は、第８工程として、シャフト１３０を用意してヘッド本体１２０に取り付ける。具体的には、作業者は、木材に対して切削加工および塗装加工を別途製作したシャフト１３０をヘッド本体１２０の上面に挿し込んで取り付ける。次いで、作業者は、別工程で製作したグリップ１３１をシャフト１３０の上端部に挿し込んで取り付ける。なお、グリップ１３１は、ヘッド本体１２０に挿し込まれる前のシャフト１３０に予め取り付けられていてもよいことは当然である。この後、作業者は、外観および使用感を試す検査工程などを経てゴルフクラブ１００を完成させる。
【００４５】
（ゴルフクラブ１００の作動）
次に、このように構成したゴルフクラブ１００の作動について説明する。ゴルフをプレーする使用者は、グリップ１３１を握ってヘッド１０１をスイングすることによりフェイス１０２でボールを打つ。この場合、ゴルフクラブ１００は、フェイス１０２の外周部１０２ｃが外周カバー体１１０によって覆われているため、ゴルフをプレー中であるか否かに拘らずフェイス１０２の外周部１０２ｃの損傷を防止することができる。また、ゴルフクラブ１００は、フェイス１０２がボールを打った際に弾性変形するエラストマ材で構成されているとともに、外周カバー体１１０がフェイスにおけるスイートスポットＳを介した互いに対向する位置にそれぞれ形成されているため、フェイス１０２がボールを打った際におけるフェイスの平面方向外側への弾性変形を抑えることができボールに与えられる打撃エネルギの低下を抑制することができる。
【００４６】
上記作動説明からも理解できるように、上記実施形態によれば、ゴルフクラブ１００は、ボールと直接接触するフェイス１０２の外周部１０２ｃの全てがフェイス１０２よりも硬質な外周カバー体１１０で覆われているため、外周部１０２ｃの損傷を抑制しつつフェイス１０２の外周部１０２ｃの加工性を良好にすることができる。
【００４７】
さらに、本発明の実施にあたっては、上記実施形態に限定されるものではなく、本発明の目的を逸脱しない限りにおいて種々の変更が可能である。なお、下記各変形例を示す図においては、上記実施形態におけるゴルフクラブ１００の構成部分に対応する部分に同じ符号を付して、これらの説明は適宜省略する。
【００４８】
例えば、上記実施形態においては、外周カバー体１１０は、板状に形成してフェイス１０２の外周部１０２ｃの全周を覆うように構成した。しかし、外周カバー体１１０は、フェイス１０２の外周部１０２ｃの一部を覆うように構成されていればよい。したがって、外周カバー体１１０は、例えば、フェイス１０２における角部または２つの角部の間の直線または曲線部分のみを覆う形状に形成して設けることができる。より具体的には、外周カバー体１１０は、フェイス１０２の４つの角部、フェイス１０２の上辺、下辺または左右の側辺を覆うように設けることができる。
【００４９】
これらの場合、外周カバー体１１０は、フェイス１０２の外周部１０２ｃのみを覆う形状に形成してフェイス１０２の外周部１０２ｃに接着剤などを用いて直接貼り付けることができる。また、外周カバー体１１０は、１つまたは複数のカバー部１１１にバックベース部１１３を設けてヘッド本体１２０に取り付けて構成することもできる。また、外周カバー体１１０は、バックベース部１１３を省略して環状に形成することもできる。
【００５０】
また、ヘッド１０１は、フェイス１０２をボールを打った際に弾性変形する弾力性を有したエラストマ材で構成するとともに、外周カバー体１１０をフェイス１０２の外周部１０２ｃの全周を覆って構成した。これにより、ヘッド１０１は、フェイス１０２がボールを打った際におけるフェイス１０２の平面方向外側への弾性変形を抑えることができボールに与えられる打撃エネルギの低下を抑制してボールの反発性を高めることができる。しかし、ヘッド１０１は、フェイス１０２を弾性体で構成するとともに、このフェイス１０２の弾性変形を抑えるように外周部１０２ｃにフェイス１０２よりも硬質な外周カバー体１１０を設けて構成されていればよい。
【００５１】
この場合、外周カバー体１１０は、フェイス１０２の外周部１０２ｃにおける少なくとも一部を覆うように構成されていればよいが、好ましくは、フェイス１０２におけるスイートスポットＳを介した互いに対向する位置（換言すれば、スイートスポットＳを両側から挟む位置）にそれぞれ形成されているとよい。したがって、外周カバー体１１０は、フェイス１０２に対して上下方向および／または横幅方向から挟む位置に設けるとよい。この場合、外周カバー体１１０は、フェイス１０２の外周部１０２ｃのうちの互いに対向する外周部１０２ｃ間の幅が最も狭い部分（上記実施形態においては、フェイス１０２の上辺および下辺）に設けることで、フェイス１０２がボールを打った際におけるフェイス１０２の平面方向外側への弾性変形を効果的に抑えることができボールに与えられる打撃エネルギの低下を効果的に抑制することができる。
【００５２】
また、上記実施形態においては、外周カバー体１１０は、フェイス１０２における上辺、下辺および左右の側辺に対してそれぞれ張り出す張出部１１２ａ〜１１２ｄを有してこれら張出部１１２ａ〜１１２ｄ以外の部分よりも肉厚に形成した。この場合、外周カバー体１１０は、フェイス１０２の外周部１０２ｃのうちの互いに対向する外周部１０２ｃ間の幅が最も狭い部分（上記実施形態においては、フェイス１０２の上辺および下辺）の肉厚がその他の部分の肉厚よりも厚く形成することにより、フェイス１０２がボールを打った際におけるフェイス１０２の平面方向外側への弾性変形を効果的に抑えることができボールに与えられる打撃エネルギの低下を効果的に抑制することができる。しかし、外周カバー体１１０は、フェイス１０２の外周部１０２ｃの全周に亘って一定の肉厚で形成することもできる。
【００５３】
また、上記実施形態においては、外周カバー体１１０は、ヘッド本体１２０の取付前面１２１に対して接着剤を用いて取り付けるように構成した。しかし、外周カバー体１１０は接着剤に代えてまたは加えてフェイス１０２における本体嵌合部１０３に相当する突起体を介して取付前面１２１に取り付けるように構成することもできる。
【００５４】
また、上記実施形態においては、フェイス１０２は、ボールを打った際に弾性変形する材料で構成した。しかし、フェイス１０２は、外周カバー体１１０よりも軟質な材料で構成されていればよく、例えば、硬質な樹脂材（例えば、ＨＤＡ１００以上）で構成することができる。
【００５５】
また、上記実施形態においては、フェイス１０２は、正面視において上下方向中央部および横幅方向中央部がそれぞれ凹状に窪んで形成した。しかし、フェイス１０２の形状は特に限定されるものではなく、長方形や正方形などの方形のほか、五角形や六角形などの多角形、または円形や楕円形などの円形などの形状に形成することができる。
【００５６】
また、上記実施形態においては、フェイス１０２は、本体嵌合部１０３を備えて構成した。しかし、フェイス１０２は、本体嵌合部１０３を省略して構成して外周カバー体１１０またはヘッド本体１２０に接着剤を用いて取り付けることもできる。
【符号の説明】
【００５７】
Ｓ…スイートスポット、
１００…ゴルフクラブ、１０１…ヘッド、１０２…フェイス、１０２ａ…表面、１０２ｂ…裏面、外周部…１０２ｃ、１０３…本体嵌合部、
１１０…外周カバー体、１１１…カバー部、１１２ａ〜１１２ｄ…張出部、１１３…バックベース部、１１４…貫通孔、
１２０…ヘッド本体、１２１…取付前面、１２２…貫通孔、１２３…ソール、
１３０…シャフト、１３１…グリップ。
【図１】
2018191701.tif 000003
【図２】
2018191701.tif 000004
【図３】
2018191701.tif 000005
【図４】
2018191701.tif 000006
【図５】
2018191701.tif 000007